(57)【特許請求の範囲】
【請求項１】
玉を受入れる受入れ孔と、異なる性格付けがなされた複数の抽選孔と、前記受入れ孔より受入れられた玉を前記複数の抽選孔のいずれかに導く振分け手段とを有する抽選機構と、この抽選機構と接続されており、玉が導かれた前記抽選孔の別により、遊技者に有利な当選状態か、それよりも遊技者に不利な落選状態を発生させるようにされた状態決定手段と、パチンコ遊技機に生じた振動を検出する振動検出手段と、を備えてなるパチンコ遊技機であって、
前記状態決定手段は、当選状態を発生させる抽選孔に玉が導かれたことを検出したタイミングと、このタイミングの直前に前記振動検出手段が振動を検出したタイミングとの時間的差分が、予め定められた特定時間間隔よりも長い場合にのみ当選状態を発生させるようにされてなる、パチンコ遊技機。
【請求項２】
前記振動検出手段は、パチンコ遊技機の水平方向の振動のみをパチンコ遊技機に生じた振動として検出するようになっている、
請求項１記載のパチンコ遊技機。
【請求項３】
前記振動検出手段は、パチンコ遊技機の前後方向の振動のみをパチンコ遊技機に生じた振動として検出するようになっている、
請求項２記載のパチンコ遊技機。
【請求項４】
前記振動検出手段は、予め定められた特定周波数よりも高い周波数の振動のみを、パチンコ遊技機に生じた振動として検出するようになっている、
請求項１記載のパチンコ遊技機。
【請求項５】
前記振動検出手段は、パチンコ遊技機の外周を囲む外周枠に生じた振動をパチンコ遊技機に生じた振動として検出するようになっている、
請求項１記載のパチンコ遊技機。
【請求項６】
前記振動検出手段は、パチンコ遊技機の外周を囲む外周枠と島の取付けユニットとを接続する接続具に生じた振動をパチンコ遊技機に生じた振動として検出するようになっている、
請求項１記載のパチンコ遊技機。
【請求項７】
玉を受入れる受入れ孔と、異なる性格付けがなされた複数の抽選孔と、前記受入れ孔より受入れられた玉を前記複数の抽選孔のいずれかに導く振分け手段とを有する抽選機構と、この抽選機構と接続されており、玉が導かれた抽選孔の別により、遊技者に有利な当選状態か、それよりも遊技者に不利な落選状態を発生させるようにされた状態決定手段と、パチンコ遊技機に生じた振動を検出する振動検出手段と、を備えてなるパチンコ遊技機にて実行される方法であって、
前記状態決定手段が、当選状態を発生させる抽選孔に玉が導かれたことを検出したタイミングと、このタイミングの直前に前記振動検出手段が振動を検出したタイミングとの時間的差分と、予め定められた特定時間間隔との長短を判定する過程と、
前記差分が前記特定時間間隔よりも長い場合に、当選状態を発生させるように決定する過程と、
を実行するパチンコ遊技機の抽選制御方法。
【請求項８】
玉を受入れる受入れ孔と、そのうちの一つが当選孔とされている複数の抽選孔と、前記受入れ孔より受入れられた玉を前記複数の抽選孔のいずれかに導く振分け手段とを有する抽選機構を備えたパチンコ遊技機と組み合わせて用いられる不正防止機能付き状態決定装置であって、
前記抽選機構から前記当選孔に玉が入ったことを示す当選信号を受付ける手段と、
前記パチンコ遊技機に生じた振動を検出する所定の振動検出手段から前記パチンコ遊技機に振動が生じたことを示す振動信号を受付ける手段と、
前記当選信号を受付ける手段で受付けた前記当選信号と、前記振動信号を受付ける手段で受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定し、この時間的差分が前記特定時間間隔よりも長い場合に当選状態を発生させる状態決定手段と、
を含んで構成されている不正防止機能付き状態決定装置。
【請求項９】
玉を受入れる受入れ孔と、そのうちの一つが当選孔とされている複数の抽選孔と、前記受入れ孔より受入れられた玉を前記複数の抽選孔のいずれかに導く振分け手段とを有する抽選機構を備えたパチンコ遊技機と組み合わせて用いられる不正防止機能付き状態決定装置にて実行される方法であって、
前記抽選機構から前記当選孔に玉が入ったことを示す当選信号を受付ける過程と、
前記パチンコ遊技機に生じた振動を検出する所定の振動検出手段から前記パチンコ遊技機に振動が生じたことを示す振動信号を受付ける過程と、
受付けた前記当選信号と、受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定する過程と、
この時間的差分が前記特定時間間隔よりも長い場合に当選状態を発生させる過程と、
かならる、状態決定方法。
【請求項１０】
玉を受入れる受入れ孔と、そのうちの一つが当選孔とされている複数の抽選孔と、前記受入れ孔より受入れられた玉を前記複数の抽選孔のいずれかに導く振分け手段と、玉が前記当選孔に入ったときに遊技者に有利な当選状態を発生させる状態決定手段とを備えているパチンコ遊技機と組み合わせて用いられる不正防止装置であって、
前記状態決定手段から前記当選孔に玉が入ったことを示す当選信号を受付ける手段と、
前記パチンコ遊技機に生じた振動を検出する所定の振動検出手段から前記パチンコ遊技機に振動が生じたことを示す振動信号を受付ける手段と、
前記当選信号を受付ける手段で受付けた前記当選信号と、前記振動信号を受付ける手段で受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定し、この時間的差分が前記特定時間間隔よりも短い場合には、前記状態決定手段に当選状態の発生を中止させる旨の命令であるキャンセル信号を生成しこれを前記状態決定手段へと送るキャンセル手段と、
を含んで構成されている不正防止装置。
【請求項１１】
玉を受入れる受入れ孔と、そのうちの一つが当選孔とされている複数の抽選孔と、前記受入れ孔より受入れられた玉を前記複数の抽選孔のいずれかに導く振分け手段と、玉が前記当選孔に入ったときに遊技者に有利な当選状態を発生させる状態決定手段とを備えているパチンコ遊技機と組み合わせて用いられる不正防止装置にて実行される方法であって、
前記状態決定手段から前記当選孔に玉が入ったことを示す当選信号を受付ける過程と、
前記パチンコ遊技機に生じた振動を検出する所定の振動検出手段から前記パチンコ遊技機に振動が生じたことを示す振動信号を受付ける過程と、
受付けた前記当選信号と、受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定する過程と、
この時間的差分が前記特定時間間隔よりも短い場合には、前記状態決定手段に当選状態の発生を中止させる旨の命令であるキャンセル信号を生成しこれを前記状態決定手段へと送る過程と、
かならる、不正防止方法。
【発明の詳細な説明】
【０００１】
【発明の属する技術分野】
本発明は、パチンコ遊技機に関する。より詳細には、玉を受入れる受入れ孔と、複数の抽選孔と、前記受入れ孔より受入れられた玉を前記複数の抽選孔のいずれかに導く振分け手段とを有する抽選機構と、この抽選機構と接続されており、玉が導かれた抽選孔の別により、遊技者に有利な当選状態か、それよりも遊技者に不利な落選状態を発生させるようにされた状態決定手段とを備えてなるパチンコ遊技機における不正防止技術に関する。
【０００２】
【従来の技術】
玉を受入れる受入れ孔と、異なる性格付けがなされた（例えば、そのうちの１つが当選孔とされている。）複数の抽選孔と、受入れ孔より受入れられた玉を複数の抽選孔のいずれかに導く振分け手段とを有する抽選機構と、この抽選機構と接続されており、玉が導かれた抽選孔の別により、遊技者に有利な当選状態か、それよりも遊技者に不利な落選状態を発生させるようにされた状態決定手段を備えてなるパチンコ遊技機が知られている。
このタイプのパチンコ遊技機は、例えば、特開平７−１７１２４８号に開示の如き玉の振分け装置を応用して実現されている。
この玉の振分け装置は、すり鉢上の凹面に３つの孔を穿設して構成されている。３つの孔は共に抽選孔であり、そのうちの１つが当選孔、他が落選孔とされている。上述の凹面に導かれた玉は、円運動をしつつ凹面状を転がり、螺旋の軌跡を描きながら徐々に凹面の中心に落ち込んでいく。そして、玉は、抽選孔のいずれかを通過する。当選孔には、そこを玉が通過したことを検出するセンサが取付けられており、このセンサによって玉が当選孔を通過したことが検出された場合には、遊技者に有利な当選状態が発生するようになっている。
このような抽選機構を備えたパチンコ遊技機は、プログラムを利用してソフト的に当選状態発生の制御を行う場合と異なり、当選状態発生のきっかけを遊技者が目視できるようになっている。それ故、このタイプのパチンコ遊技機は、当選状態の発生に恣意的なものがあるのではという疑念を遊技者に生じさせることが少なく、遊技者の本能的な部分を直接的に刺激するため、根強いファンを獲得している。
【０００３】
しかしながら、このタイプのパチンコ遊技機は、当選状態発生のきっかけを遊技者が目視できるが故の不具合を有している。それは、受入れ孔より受入れられた玉を振分け手段がいずれかの抽選孔へと導いているそのときに、遊技機前面のガラス板や或いは枠を叩くなどして、遊戯者が意図的に当選孔に玉を導くという不正が可能であることである。
実際、特開平７−１７１２４８号に記載の如き玉振分け装置を応用したパチンコ遊技機では、凹面上を玉が転がっているときに遊技機のガラス板などを叩き、本来設定された確率を超えて玉を当選孔に落とし込むという不正が行われている。
このような不正が横行することは、パチンコホールの経営に好ましくない影響を与える。
【０００４】
かかる不正を防止するために、パチンコ遊技機に振動センサを取付ける技術が提案されている。パチンコ遊技機に振動が生じたことを検出できるようにすることで、振動が検出されたパチンコ遊技機での遊技を一端中断させることが可能になり、或いは、振動が生じたパチンコ遊技機を店員などに通知することで、店員が何らかの処置を採れるようにすることができるようになる。
しかしながら、かかる技術によるのみでは、遊技者がたまたまパチンコ遊技機のガラス板に手をついた場合でもその振動が検出され遊技の停止などがなされることとなり、遊技の中断が多くなる。これは、遊技を楽しんでいる遊技者の興を醒ますこととなる。
また、パチンコ遊技機は一般に、島と呼ばれる一の設置台に多数取付けられるものであるため、一のパチンコ遊技機に振動が生じた場合には、その振動が周囲の遊技機にも伝わる場合がある。上述の技術によるのであれば、このような場合には、一のパチンコ遊技機でパチンコ遊技機を振動させる不正行為があると、その周囲の多数のパチンコ遊技機でも遊技の停止などが行われることになる。
【０００５】
【発明が解決しようとする課題】
本発明は、上述の如き抽選機構と状態決定手段を備えるパチンコ遊技機で行われることのあるパチンコ遊技機を振動させることによってなされる不正を効果的に防止できると共に、遊技の興が醒めることのない不正防止技術の提供を課題とする。
【０００６】
【課題を解決するための手段】
かかる課題を解決するため、本願出願人は、以下のようなパチンコ遊技機、不正防止機能付き状態決定装置及び不正防止装置を提案する。
本発明のパチンコ遊技機は、玉を受入れる受入れ孔と、異なる性格付けがなされた複数の抽選孔と、前記受入れ孔より受入れられた玉を前記複数の抽選孔のいずれかに導く振分け手段とを有する抽選機構と、この抽選機構と接続されており、玉が導かれた前記抽選孔の別により、遊技者に有利な当選状態か、それよりも遊技者に不利な落選状態を発生させるようにされた状態決定手段と、パチンコ遊技機に生じた振動を検出する振動検出手段と、を備えてなるパチンコ遊技機である。そして、その状態決定手段は、当選状態を発生させる抽選孔に玉が導かれたことを検出したタイミングと、このタイミングの直前に前記振動検出手段が振動を検出したタイミングとの時間的差分が、予め定められた特定時間間隔よりも長い場合にのみ当選状態を発生させるようにされてなる。
本発明の不正防止機能付き状態決定装置は、玉を受入れる受入れ孔と、そのうちの一つが当選孔とされている複数の抽選孔と、前記受入れ孔より受入れられた玉を前記複数の抽選孔のいずれかに導く振分け手段とを有する抽選機構を備えたパチンコ遊技機と組み合わせて用いられる不正防止機能付き状態決定装置であって、前記抽選機構から前記当選孔に玉が入ったことを示す当選信号を受付ける手段と、前記パチンコ遊技機に生じた振動を検出する所定の振動検出手段から前記パチンコ遊技機に振動が生じたことを示す振動信号を受付ける手段と、前記当選信号を受付ける手段で受付けた前記当選信号と、前記振動信号を受付ける手段で受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定し、この時間的差分が前記特定時間間隔よりも長い場合に当選状態を発生させる状態決定手段と、を含んで構成される。
本発明の不正防止装置は、玉を受入れる受入れ孔と、そのうちの一つが当選孔とされている複数の抽選孔と、前記受入れ孔より受入れられた玉を前記複数の抽選孔のいずれかに導く振分け手段と、玉が前記当選孔に入ったときに遊技者に有利な当選状態を発生させる状態決定手段とを備えているパチンコ遊技機と組み合わせて用いられる不正防止装置であって、前記抽選機構から前記当選孔に玉が入ったことを示す当選信号を受付ける手段と、前記パチンコ遊技機に生じた振動を検出する所定の振動検出手段から前記パチンコ遊技機に振動が生じたことを示す振動信号を受付ける手段と、前記当選信号を受付ける手段で受付けた前記当選信号と、前記振動信号を受付ける手段で受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定し、この時間的差分が前記特定時間間隔よりも短い場合には、前記状態決定手段に当選状態の発生を中止させる旨の命令であるキャンセル信号を生成しこれを前記状態決定手段へと送るキャンセル手段と、を含んで構成されている。
【０００７】
本発明では、パチンコ遊技機に生じた振動が発生したタイミングと、当選状態が発生するきっかけとなる事象が発生した（当選状態を発生させる抽選孔（当選孔）に玉が導かれた）タイミングとを比較し、その時間的差分が所定の特定時間間隔よりも長い場合にのみ当選状態を発生させることとしている。他方、その時間的差分が短い場合には、当選孔に玉が導かれたことにより発生するはずだった当選状態は、発生しないようになっている。
本発明では、当選孔に玉が入った場合でも必ずしも当選状態が発生するわけではなく、また、振動が検出された場合でも必ずしも当選状態が無効とされるわけではない。本発明では、振動が検出されたタイミングから当選状態のきっかけとなる事象が発生するまでの時間的差分が所定の時間間隔よりも短かった場合にのみ当選が無効とされるのである。
これは、振動が検出された直後に当選状態のきっかけが発生した場合には、その当選状態発生のきっかけの発生を不正によるものであるとみなしてもよいとの本願発明者の知見に基づくものである。本発明によれば、不正防止を行えるようになるのみならず、不正の目的でなく生じてしまった振動や、他のパチンコ遊技機の振動に起因した振動を言わば流すことにより、過分な必要な限度でのみ遊技の中断を発生させられるようになる。
尚、本明細書で、『落選状態を発生させる』という語は、当選状態を発生させず、通常状態をそのまま維持する場合をも含む意である。
【０００８】
本発明における振動検出手段は、パチンコ遊技機の振動を検出できるものであればよい。例えば、速度センサや加速度センサを用いることにより、かかる振動検出手段を構成することができる。
振動検出手段は、パチンコ遊技機の水平方向に生じた振動のみをパチンコ遊技機に生じた振動として検出するようなものとすることができる。パチンコ遊技機の上下方向の振動は、玉の落下により常に生じているため、この振動を検出することとすれば、当選孔に玉が入っても当選状態が発生しない可能性が高くなり過ぎるためである。水平方向の振動のみを検出するには、パチンコ遊技機の水平方向の振動しか検出できないセンサを用いることができる。或いは、パチンコ遊技機の全方向の振動を検出するセンサと、パチンコ遊技機の上下方向の振動を検出するセンサの２つを用いて、前者で検出した振動から後者で検出した振動を減算することにより水平方向の振動のみの検出を行うようにすることもできる。
振動検出手段は、また、前後方向の振動のみをパチンコ遊技機に生じた振動として検出するようなものとすることができる。不正の原因となる振動は、パチンコ遊技機の前後方向（この明細書中では、パチンコ遊技機の盤面に対して垂直な方向を意味する。）の振動が殆どであるため、このような振動検出手段を用いることで、不正を効果的に防止できるようになる。
振動検出手段は、また、予め定められた特定周波数よりも高い周波数の振動のみを、パチンコ遊技機に生じた振動として検出するようなものとすることができる。パチンコ遊技機は上述のように一の島に複数取付けられる。他のパチンコ遊技機から島を介して伝わってくる振動は、島全体を揺らすものであるため、その周波数が低いことが多い。従って、振動検出手段にて検出される周波数を所定の特定周波数よりも高い周波数のものに限定することで、他のパチンコ遊技機から伝わってくる振動を検出しないようにし、それにより、そのパチンコ遊技機で生じた振動のみを効率よく検出できるようになるため不正防止を効率的に行えるようになる。
振動検出手段は、パチンコ遊技機に生じる振動を検出できるようになっていればよい。つまり、パチンコ遊技機それ自体の振動を検出するようになっていてもよいし、パチンコ遊技機と直接的に、或いは間接的に接続されている部材の振動を検出することで、パチンコ遊技機の振動を間接的に検出するようになっていてもよい。後者の場合には、例えば、パチンコ遊技機の外周を囲む外周枠に生じた振動を検出したり、その外周枠を島に接続するための接続具に生じた振動を検出したりすることができる。
接続具に生じた振動を検出する場合には、かかる振動を検出するためのセンサを接続具に取付けるようにすればよい。パチンコ遊技機は、頻繁に入れ替えられるものであり、且つその入れ替えは外周枠ごとなされる。従って、振動検出のためのセンサを接続具に取付けておけば、パチンコ遊技機の入れ替えがあったとしてもセンサをそのまま使用できるようになり都合が良い。
【０００９】
本発明の課題は、また、以下の如きパチンコ遊技機の抽選制御方法によっても解決可能である。
その方法は、玉を受入れる受入れ孔と、異なる性格付けがなされた複数の抽選孔と、前記受入れ孔より受入れられた玉を前記複数の抽選孔のいずれかに導く振分け手段とを有する抽選機構と、この抽選機構と接続されており、玉が導かれた抽選孔の別により、遊技者に有利な当選状態か、それよりも遊技者に不利な落選状態を発生させるようにされた状態決定手段と、パチンコ遊技機に生じた振動を検出する振動検出手段と、を備えてなるパチンコ遊技機にて実行される方法であって、その状態決定手段が、当選状態を発生させる抽選孔に玉が導かれたことを検出したタイミングと、このタイミングの直前に前記振動検出手段が振動を検出したタイミングとの時間的差分と、予め定められた特定時間間隔との長短を判定する過程と、前記差分が前記特定時間間隔よりも長い場合に、当選状態を発生させるように決定する過程と、を実行するパチンコ遊技機の抽選制御方法である。
或いは、玉を受入れる受入れ孔と、そのうちの一つが当選孔とされている複数の抽選孔と、前記受入れ孔より受入れられた玉を前記複数の抽選孔のいずれかに導く振分け手段とを有する抽選機構を備えたパチンコ遊技機と組み合わせて用いられる不正防止機能付き状態決定装置にて実行される方法であって、前記状態決定装置が、前記抽選機構から前記当選孔に玉が入ったことを示す当選信号を受付ける過程と、前記パチンコ遊技機に生じた振動を検出する所定の振動検出手段から前記パチンコ遊技機に振動が生じたことを示す振動信号を受付ける過程と、前記当選信号を受付ける手段で受付けた前記当選信号と、前記振動信号を受付ける手段で受付けた前記振動信号とに基づいて、当選孔に玉が入ったことが検出されたタイミングと、このタイミングの直前に前記振動検出手段が振動を検出したタイミングとの時間的差分が、予め定められた特定時間間隔よりも長いか否かを判定する過程と、この時間的差分が前記特定時間間隔よりも短い場合には、前記状態決定手段に当選状態の発生を中止させる旨の命令であるキャンセル信号を生成しこれを前記状態決定手段へと送る過程と、を含んでいる、不正防止方法である。
【００１０】
【発明の実施の形態】
以下、図面を参照しながら、本発明の第１及び第２実施形態につき説明を行う。
第１実施形態の説明においては図１ないし図５を参照し、第２実施形態の説明においては図６ないし図８を参照する。また、両実施形態の説明において同一のものについては同一の符号を付すものとし、重複する説明は省略するものとする。
【００１１】
第１実施形態
この実施形態におけるパチンコ遊技機Ｐは図１に示した如き状態で島に取付けられる。図１は、パチンコ遊技機Ｐの島への取付け状態を説明するための断面図である。
パチンコ遊技機Ｐは、その上下左右を取囲むようにしてパチンコ遊技機に取付けられた上下左右の各部材（上部材Ｆｕ、下部材Ｆｄ左部材及び右部材は図示せず。）を含んでなる略矩形に形成の外周枠に固定されている。この外周枠に含まれる上部材Ｆｕ及び下部材Ｆｄは、島に固定のパチンコ遊技機設置台に取付けられた島上板Ｕｓ及び島下板Ｕｄに、上側接続具Ａ及び下側接続具Ｂを用いてそれぞれ取付けられている。このようにして、パチンコ遊技機Ｐの島への取付けがなされている。
上述の上側接続具Ａと下側接続具Ｂは、パチンコ遊技機の島への取付けをなすものであり、本発明の接続具に相当する。これら上側接続具Ａと下側接続具Ｂは、これには限られないが、パチンコ遊技機Ｐが取付けられた外周枠を、パチンコ遊技機Ｐの前後方向の適宜な位置で位置決めした状態で、島に固定するものとなっている。かかる上側接続具Ａと下側接続具Ｂとしては、例えば、特開平１０−８０５６３号に開示のものを用いることができる。
上側接続具Ａには、本発明の振動検出手段としての振動センサＡ１が設けられている。この振動センサＡ１は、例えばディジタル出力付き加速度センサ（商品名：ｉＭＥＳ（商標）、製造：アナログ・デバイセズ株式会社）を使用することができる。この実施形態の振動センサＡ１は、これには限られないが、パチンコ遊技機Ｐの前後方向の振動のみを検出するものとなっている。上述したディジタル出力付き加速度センサは２軸に沿った振動を検出するものとなっているが、鉛直方向の振動については出力を生じないようにしておくと共に、他の１軸をパチンコ遊技機Ｐの前後方向と一致させておくことにより、パチンコ遊技機Ｐの前後方向の振動のみを検出するようにしている。この実施形態における振動センサＡ１は、また、これには限られないが、予め定められた特定周波数よりも高い周波数の振動のみをパチンコ遊技機に生じた振動として検出するようになっている。
上述したディジタル出力付き加速度センサは、検出する振動の周波数を自由に設定できるようになっているので、所定の周波数以上の振動のみを検出するように設定しておくことで、検出される振動の周波数を適宜設定できる。この実施形態では、１／３〜１／５Ｈｚ以上の周波数の振動のみを検出するようにしている。
尚、測定すべき周波数は、島やパチンコ遊技機の構造によって異なるため、状況に応じて適宜に設定することができる。
振動センサＡ１は、必ずしも接続具Ａに取付けられている必要はなく、例えば外周枠の所定位置や、パチンコ遊技機Ｐ自体に取忖けられていてもよい。
【００１２】
次に、パチンコ遊技機Ｐの構成につき説明する。
パチンコ遊技機Ｐは、例えば、図２に示したように構成される。図２は、本実施形態によるパチンコ遊技機Ｐの概略図であり、遊技盤１のレイアウトを示すものである。この遊技盤１は、図示しないガラス板によって覆われている。
【００１３】
遊技盤１上にはガイドレール２が取付けられている。ガイドレール２の内側には、略円形の遊技領域１Ａが形成されている。また、ガイドレール２に挟まれた領域として、遊技領域１Ａに連なる打ちだし路１Ｂが形成されている。
遊技盤１上には、打ちだし路１Ｂから打ち出された玉に不規則な動きを与える多数の釘３Ａが設けられており、他に、玉を不規則に案内するために適宜配された複数の風車３Ｂと、入賞口３Ｃ及び抽選機構４が設けられている。入賞口３Ｃの内部には、図示せぬセンサが取付けられており、入賞口３Ｃに玉が入る度に、所定の数の玉が遊戯者へ与えられるようになっている。
【００１４】
抽選機構４は、これには限られないが、図３の斜視図に概略的に示した如く構成されている。
抽選機構４は、本体部４１とクルーン４２とから構成されている。本体部４１は箱状に構成されており、その上面には、受入れ孔４１Ａが設けられている。
受入れ孔４１は、遊技者が打ちだし路１Ｂから遊技領域１Ａへと打ち出した玉を受入れるものである。本体部４１の上面には、玉を受入れ孔４１Ａへと導くような傾斜が設けられている。本体部４１の内部には、また、上下２段の案内路４１Ｂ、４１Ｃが設けられている。案内路４１Ｂ、４１Ｃは受入れ孔４１Ａが受入れた玉を後述のクルーン４２へと導くものである。案内路４１Ｂはその一端側が、受入れ孔４１Ａの直下に配置されており、且つその他端側が上記一端側よりも下方に位置するようになっている。また、案内路４１Ｃはその一端側が案内路４１Ｂの上記他端側の直下に位置するようになっており、且つその他端側が上記一端側よりも下方に位置するようになっている。このような案内路４１Ｂ、４１Ｃの配置により、受入れ孔４１Ａが受入れた玉は、自然にクルーン４２へと導かれるようになっている。
クルーン４２は、中心に向かって若干の傾斜が与えられたすり鉢面４２Ａを備えている。玉は、このすり鉢面４２Ａの外周に沿うようにして、上述の案内路４１Ｃからすり鉢面４２Ａ内に供給されるようになっている。すり鉢面４２Ａには３つの抽選孔４２Ｂ、４２Ｂ、４２Ｃが設けられている。これら３つの抽選孔４２Ｂ、４２Ｂ、４２Ｃはそれぞれ異なる性格付けがなされている。つまり、玉がどの抽選孔４２Ｂ、４２Ｂ、４２Ｃに落ちたかによって、当選状態が生じるか、落選状態が生じるかが異なるようになっているのである。この実施形態では、抽選孔４２Ｂに玉が落ちた場合には落選状態が、抽選孔４２Ｃに玉が落ちた場合には当選状態が発生するようになっている。即ち、抽選孔４２Ｃは、そこに玉が入った場合に当選状態が発生するものであり、本発明における当選孔となっている。
抽選孔４２Ｃの内部には、図示せぬ当選センサが取付けられており、抽選孔４２Ｃに玉が入ったことを検出するようになっている。
尚、案内路４１Ｂ、４１Ｃ及びクルーン４２は、受入れ孔４１Ａから受入れた玉を抽選孔４２Ｂ、４２Ｂ、４２Ｃへのいずれかに導く機能を有しており、本発明における振分け手段に相当するものであると言える。
【００１５】
パチンコ遊技機Ｐの裏側には、このパチンコ遊技機Ｐで実行される様々な処理を制御するための制御装置が設けられている。この制御装置のハードウエア構成は、図４に示すとおりである。
制御装置は、ＣＰＵ（Central Processing Unit）１１０、ＲＯＭ（Read only Memory）１２０、ＲＡＭ（Random Access Memory）１３０、インタフェイス１４０と、これらを互いに接続するバス１５０を含んで構成されている。
ＣＰＵ１１０は、ＲＯＭ１２０に記録されているプログラムやデータを読み出すことにより、パチンコ遊技機Ｐの全体的な制御を行う。例えば、当選状態を発生させたり、図示しない電飾の点滅やスピーカの制御を行ったりする。
ＲＡＭ１３０は、プログラムを実行するための作業領域を提供する。
インタフェイス１４０は、制御装置と他の機器とを繋ぐ窓口として機能するものであり、上述のセンサ、当選センサ、振動センサＡ１、出玉をパチンコ遊技機Ｐから放出する機構  （図示を省略）などと接続される。例えば、入賞口３Ｃや抽選孔４２Ｃに玉が入ったことを示すデータや、当選センサからのデータは共に、このインタフェイス１４０を介してこの制御装置に受入れられる。また、振動センサＡ１からの、パチンコ遊技機に振動が生じたことを示すデータも、このインタフェイス１４０を介して制御装置に更入れられる。
【００１６】
上述のＣＰＵ１１０が、プログラムを実行することで、制御装置には、図５に示すように、入力情報受付け部２１０と制御部２２０とが形成される。
【００１７】
入力情報受付け部２１０は、上述のセンサ入賞センサ、振動センサＡ１と接続されている。入力情報受付け部２１０は、入賞口３Ｃに玉が入ったことを示す信号をセンサから受付け、また、抽選孔４２Ｃに玉が入ったことを示す信号（本発明における、当選信号に相当する。）を当選センサから受付ける。また入力情報受付け部２１０は、振動センサＡ１からの、パチンコ遊技機に生じた振動についての情報も受付ける。入力情報受付け部２１０は、これらの情報を制御部２２０へと送るようになっている。
【００１８】
制御部２２０は、パチンコ遊技機Ｐの動作制御を行うものであり、状態決定部２２１と出玉制御部２２２とを含んで構成されている。
【００１９】
状態決定部２２１は、本発明の状態決定手段に相当するものであり、当選状態を発生させるか、落選状態を発生させるかを決定する機能を有している。これには限られないが、このパチンコ遊技機Ｐにおける当選状態は、３０００発の出玉を遊技者に与えるイベントとして実現され、落選状態は当選状態を発生させないこととして実現される。上述した状態決定郎２２１は、データ更新部２２１Ａ、振動データ記録部２２２及び判定部２２１Ｃを備えて構成されている。
データ更新部２２１Ａは、振動センサＡからパチンコ遊技機Ｐに発生した振動についてのデータを受け取り、それを振動データ記録部２２１Ｂへと記録するものである。振動データ記録部２２１Ｂは、パチンコ遊技機Ｐにいつ振動が生じたかということについてのデータを保持するものである。尚、このデータは、過去数秒分についてのもので十分であり、所定時間経過毎にリフレッシュしていくことができる。リフレフシュの間隔は、以下に述べる特定時間間隔と同じか、それよりも長い時間間隔で適宜設定すればよい。
判定部２２１Ｃは、入力情報受付け部２１０を介して当選センサから受付けることにより当選信号を受付けたそのタイミングと、このタイミングの直前に振動センサＡ１が振動を検出したタイミングとの時間的差分を、予め定められた特定時間間隔と比較し、いずれが長いかを判定するものである。特定時間間隔は、パチンコ遊技機の構造などの事情を考慮して、適宜定めておけば良い。この例の特定時間間隔は、例えば３ないし５秒とされている。
この判定に必要な、当選信号の発生の直前に生じた振動の発生タイミングについての情報は、その振動についての情報を振動データ記録部２２１Ｂから読み出したデータ更新部２２１から、判定部２２１Ｃへと送られるようになっている。
尚、この送信処理は、例えば判定部２２１Ｃの要求に応じて行われるようにすることができる。
この情報を受付けた判定部２２１Ｃは、上述の時間的差分が特定時間間隔よりも長い場合には、当選状態を発生させる旨の決定を行う。他方、上述の時間的差分が特定時間間隔よりも短い鼎合には、当選伏態を発生させない旨の決定を行う。この決定に関する情報は、決定部２２１Ｄから出玉制御部２２２へと伝えられるようになっている。
【００２０】
出玉制御部２２２は、図示せぬ出玉制御機構を制御するものである。出玉制御機構は、出玉制御部２２２の制御に応じて、所定の数の出玉を遊技者に与えるようになっている。
尚、出玉制御部２２２は、例えば、当選状態を発生させるとの決定についての決定部２２１Ｄが生成した上述の情報を受付けると、予め定められた所定個数（この実施形態では３０００個）の玉を遊戯者に与えるための情報を生成して、これを出玉制徐脚幾構へ送る。
尚、出玉制御部２２２は、上述のセンサからの入賞信号を入力情報受付け部２１０を介して受付けた場合においては、定められた数の玉を払い出せとの指示を出玉制御機構へと送るようになっている。出玉制御機構は、その指示に応じた所定の数の玉を遊技者に与えるように動作する。これにより遊戯者に与えられる玉の数は、判定部２２１Ｃの判定を経て遊技者に与えられる玉の数よりもかなり少ないものとなっている。
【００２１】
第２実施形態
この実施形態は、本件発明の不正防止装置を用いる場合の例である。
この実施形態のパチンコ遊技機Ｐには、呼び出しランプＹが取付けられている。呼び出しランプＹは本来、パチンコ遊技機Ｐに不調が生じた場合にホールの従業員にそれを通知するためのものであり、種々の発光体や、液晶ディスプレイなどにより形成の画面などを備えて構成されている。上述の発光体の発行のさせ方や、画面への表示の別などに意味を持たせておくことで、パチンコ遊技機の状態をホールの従業員へ通知するようになっている。もっとも近年の呼び出しランプＹは、パチンコ遊技機Ｐと連動して、例えば大当たり発生時に発光体の点灯状態をめまぐるしく変化させることなどにより、派手な演出を行うようなものとなっている。
【００２２】
本発明による不正防止装置Ｙ１は、この限りではないが、この呼び出しランプＹの中に設けられている。これは、パチンコ遊技機Ｐと連動して動作するようにされた最近の呼び出しランプＹであれば、パチンコ遊技機Ｐとのデータのやり取りを元々行っているため、後述の振動信号、キャンセル信号などのパチンコ遊技機Ｐとのやりとりを行うにあたってハード的な追加部分をそれほど必要としないからである。
【００２３】
このパチンコ遊技機Ｐの基本的な構成は、第１実施形態の腸合とほぼ同様である。まだ振動センサＡの構成及び取付け位置も、第１実施形態と同様である。
異なるのは、パチンコ遊技機Ｐが備える制御装置のＣＰＵ１１０が、プログラムを実行することで形成される機能ブロックである。この実施形態におけるＣＰＵ１１０がプログラムを実行することにより形成される機能ブロックは、図７に示すようなものとなっている。
【００２４】
パチンコ遊技機Ｐは、入力情報受付け部３１０と、制御部３２０とを備えて構成される。
【００２５】
入力情報受付け部３１０の機能は第１実施形態の場合と同様であり、外部から受付けた信号を制御部３２０へと伝える機能を有している。この入力情報受付け部３１０は、センサ、入賞センサ及び、不正防止装置Ｙ１からの信号を受付けるようになっている。
【００２６】
制御部３２０は、状態決定部３２１と出玉制御部３２２とを備えて構成されている。この実施形態における状態決定部３２１は、これには限られないが、このパチンコ遊技機Ｐが当初から備えているものであり、当選信号を入力情報受付け部３１０を介して受付けたときに、当選状態を発生させるようになっている。状態決定部３２１は、生成した当選信号を出玉制御部３２２へと伝えるようになっている。
この実施形態における出玉制御部３２２は第１実施形態の場合と同様の機能を有している。即ち、センサや状態決定部３２１から受付けた情報に基づいて、所定の数の玉の放出を行わせるべく、出玉制御機構を制御する。
【００２７】
不正防止装置Ｙ１は、例えば、ＣＰＵ、ＲＯＭ、ＲＡＭ、インタフェイスと、これらを互いに接続するバス(いずれも、図示を省略する。)を含んで構成されている。
上述のＣＰＵが、プログラムを実行することで、この不正防止装置Ｙ１には、図８に示すような機能ブロックが形成される。即ち、この不正防止装置Ｙ１は、入力情報受付け部２１０と制御部２２０とを備えて構成される，
【００２８】
入力情報受付け部４１０は、上述の入賞センサ及び振動センサＡ１と接続されている。入力情報受付け部４１０は、抽選孔４２Ｃに玉が入ったことを示す当選信号を当選センサから受付ける。また、入力情報受付け部４１０は、振動センサＡ１からの、パチンコ遊技機に生じた振動についての信号信号も受付ける。入力情報受付け部４１０は、これらの情報を制御部４２０へと送るようになっている。
【００２９】
制御部４２０は、本発明のキャンセル手段に相当するものである。制御部４２０は、データ更新部４２１Ａ、振動データ記録部４２２及む単』定部４２１Ｃを備えて構成されている。
データ更新部４２１Ａは、振動センサＡから振動信号を受け取り、それを振動データ記録部４２１Ｂへと記録する機能を有する。振動データ記録部４２１Ｂは、パチンコ遊技機Ｐにいつ振動が生じたかということについてのデータを保持するものである。尚、このデータは、過去数秒分についてのもので十分であり、所定時間経過毎にワフレツシュしていくことができる。リフレッシュの間隔は、以下に述べる特定時間間隔と同じか、それよりも長い時間間隔で適宜設定すればよい。
判定部４２１Ｃは、入力情報受付け部４１０を介して当選センサから受付けることにより当選信号を受付けたそのタイミングと、このタイミングの直前に振動センサＡ１が振動を検出したタイミングとの時間的差分を、予め定められた特定時間間隔と比較し、いずれが長いかを判定するものである。
この判定に必要な、当選信号の発生の直前に生じた振動の発生タイミングについての情報は、その振動についての情報を振動データ記録部４２１Ｂから読み出したデータ更新部４２１から、判定部４２１Ｃへと送られるようになっている。
この送信処理は、例えば判定部４２１Ｃの要求に応じて行われるようにすることができる。
この情報を受付けた判定部４２１Ｃは、上述の時間的差分が特定時間間隔よりも長い場合には、何の信号をも発生させない。他方、上述の時間的差分が特定時間間隔よりも短い場合には、状態決定部３２１に当選状態の発生を中止させる旨の命令であるキャンセル信号を生成する。判定部２２１は、キャンセル信号を生成した場合には、当該信号を状態決定部３２１へと送るようになっている。
【００３０】
状態決定部３２１は、上述のように、当選信号を入力情報受付け部３１０を介して受付けたときに、当選状態を発生させるようになっている。  しかしながら、上述のキャンセル信号を、入力情報受付け部３１０を介して受付けた場合には、その当選状態がキャンセルされるようになっている。
これにより、このパチンコ遊技機Ｙは、後付け的に取付けた不正防止装置Ｙ１のおかげで、パチンコ遊技機Ｙ自体が従来品であったとしても、必要な限度で、パチンコ遊技機を振動させることによる不正の防止を実現できるようになる。
【００３１】
【発明の効果】
以上説明したように本発明によるパチンコ遊技機によれば、上述の如き選機構及び状態決定手段を備えてなるパチンコ遊技機において良く行われているパチンコ遊技機の振動に基づく不正を効率よく防止できるようになる。のみならず、不正とは関係ない振動を不正と判断しないで見逃すことにより、パチンコ遊技を必要以上に中断してその興を削ぐことがなくなる。
【図面の簡単な説明】
【図１】第１実施形態によるパチンコ遊技機の島への取付け状態を説明するための断面図。
【図２】第１実施形態によるパチンコ遊技機の構成を説明するための図。
【図３】図２中で示した抽選機構を拡大して示下図。
【図４】図２で示したパチンコ遊技機のハードウエア構成を説明するための図。
【図５】図２で示したパチンコ遊技機の構成を説明するための機能ブロック図。
【図６】第２実施形態によるパチンコ遊技機と不正防止装置の関係を概略的に示す図。
【図７】図６で示したパチンコ遊技機の構成を説明するための機能ブロック図。
【図８】図６で示した不正防止装置の構成を説明するための機能ブロック図。
【符号の説明】
Ａ  上側接続具
Ａ１  当選センサ
Ｂ  下側接続具
Ｐ  パチンコ遊技機
Ｙ  呼び出しランプ
Ｙ１  不正防止装置
Ｆｕ  上部材（外周枠）
Ｆｄ  下部材（外周枠）
４１Ａ  受入れ孔
４２Ｂ  抽選孔
４２Ｃ  抽選孔
２１０  入力情報受付け部
２２０  制御部
２２１  状態決定部
【図１】
0004570762.tif 000002
【図２】
0004570762.tif 000003
【図３】
0004570762.tif 000004
【図４】
0004570762.tif 000005
【図５】
0004570762.tif 000006
【図６】
0004570762.tif 000007
【図７】
0004570762.tif 000008
【図８】
0004570762.tif 000009